(57)【要約】【課題】枝葉付で茎の長い苗を損なうことなく、容易に確実な移植作業をおこなうための移植スコップをを提供する。【解決手段】両端部の開口口径寸法が若干の寸法差を有して形成される円筒形で、その口径寸法の大きい一方を上側として縦方向に二分割することで形成される左右対称のスコップ１、１’を枠部内に装置しこの左右対称のスコップ１、１’の縦方向の一方側を閉じ、もう一方側を横方向の開閉動作を可能とする開閉自在構造の枠部自在装置部３’を構成する。【選択図】図１
2012080815.tif 000002
【特許請求の範囲】
【請求項１】
枝葉付で茎の長い苗を損なうことなく移植を可能とする手段において、両端部の開口口径寸法が若干の寸法差を有して形成される円筒形で、その口径寸法の大きい一方を上側とする円筒形を縦方向に二分割することで形成され枝葉付で茎の長い苗の根部分を保持できる左右対称のスコップと、この左右対称のスコップの縦方向の一方側を閉じ、もう一方側を横方向に水平の開閉動作ができるようにするため、左右対称のスコップで復元される円筒形の外周囲を枠寸法とし枠板材をもって構成される枠部を二分割することで形成される左右対称形の枠板材それぞれの一方側端部を中心軸とするピンを介して自在連結して横方向に水平で展開可能としもう一方側の端部を開閉自在構造として構成される枠部自在装置部と、この枠部自在装置部により横方向に水平で展開可能する枠部内で左右対称のスコップそれぞれの上縁部を枠板材それぞれの所定位置に固定取付けするそれぞれの枠板材と左右対称のスコップとに縦方向で直立に固定装着で左右に設けられるそれぞれの握柄と、からなることを特徴とする横開きの移植スコップ。
【請求項２】
請求項１記載の左右対称のスコップに、下側端部にそれぞれに先鋭端部を構成することで苗床などから直接の掴み掘りや植え付けができる左右対称で先鋭端部を有するスコップを形成し、この先鋭端部を合わせることで枠部自在装置部を構成する枠部内において円錐形を形成可能とし、また、この円錐形を形成している先鋭端部を離すことのできる回動動作を可能とするため、左右対称で先鋭端部を有するスコップそれぞれの上端部の半円形縁部の中央部分と当接するそれぞれの枠板材部分とを中心軸とするピンを介して自在連結し該枠板材の直角方向でそれぞれに自在回動動作を可能とする連結装置部と、左右対称で先鋭端部を有するスコップそれぞれに縦方向に取り付けられて連結装置部のピン位置を支点とするてこ作用を可能とし、枠部装置内における左右対称で先鋭端部を有するスコップの所要とする回動動作ができるようにするとともに該枠部自在装置部の開閉操作も可能とする機能を有して左右に設けられるそれぞれのレバーと、とからなることを特徴とする請求項１記載の横開きの移植スコップ。
【請求項３】
左右対称で先鋭端部を有するスコップが、それぞれの上部半円形縁部内側に直角方向で、保持した苗の根部分を上から押し下げるための押し下げ板を設けたことを特徴とする請求項２記載の横開きの移植スコップ。
【発明の詳細な説明】
【技術分野】
【０００１】
本発明は、枝葉付で茎の長い苗を傷めることなく移植可能とする横開きの移植スコップに関するものである。
【背景技術】
【０００２】
従来、農作業及び園芸作業における苗の移植には、片手スコップなど簡易移植用具が広く用いられてきた。
また、ポット苗や掘りあげた苗の根部周りの土を崩すことのないように、二つのスコップを縦方向に合わせることで苗を根部周りの土とともに保持してそのまま植え込み穴へ、または合わせスコップの先鋭先端を土中に突き入れることで、苗などの掘り取りや移植の作業を効率よくできるようになされた用具も提示され実用に供されている。
【０００３】
しかし、いずれの用具も移植において主として葉物や球根などの苗類を対象とし、該苗を根周りの土とともに掴むことを最も主要な要件としており、茎の長い枝葉付の例えばトマトや茄子などの様態のものには構造上から不向きで、、使用方法からも根部分は保持できても長い茎や枝葉などを傷つけてしまうという大きな欠点があった。
【特許文献１】特開２００４−５４１１１
【発明の開示】
【発明が解決しようとする課題】
【０００４】
解決しようとする課題は、苗などの移植用具に、枝葉付の茎の長い苗において、茎は勿論折角成長している枝葉を損なうことなく確実に移植可能とする移植用具がない点である。
【課題を解決するための手段】
【０００５】
本発明は、苗などの移植用具において、枝葉付で茎の長い苗を損なうことなく移植作業を確実とするため、両端部の開口口径寸法が若干の寸法差を有して形成される円筒形で、その口径寸法の大きい一方を上側とする円筒形を縦方向に二分割することで形成され枝葉付で茎の長い苗の根部分を保持できる左右対称のスコップを設け、枠部を構成する枠板材それぞれの縦方向の一方側を閉じもう一方側を横方向に水平で開閉自在構造とする枠部自在装置部を枠部に構成し、左右対称のスコップの縦方向の一方側を閉じもう一方側を横方向に水平の開閉動作ができるように枠板材それぞれに左右対称で取り付ける。そして、この開閉動作を操作可能とする握柄を左右対称のスコップとこれを取り付けるそれぞれの枠部材部分とに固定取付したことを最も主要な特徴とする。これにより、枝葉付で茎の長い苗の根部を枝葉を傷めることなく横方向から掴み、所定の場所で同様に開放可能とするという目的を実現した。
【発明の効果】
【０００６】
本発明の横開きの移植スコップは、移植作業において枝葉付茎及びその枝葉などに触れることなくかつ根部周りの土を崩すことなく該根部を保持または解放作業ができるようにするため、左右対称のスコップの縦方向の一方側を自在連結で閉じ、もう一方側を横方向に水平の自在開閉動作ができるようにしたことは、移植スコップとして機能的に大いに優れている。
【０００７】
請求項２において、請求項１記載の左右対称のスコップの下側それぞれに先鋭部分を構成し、横開き機能を構成する枠部自在装置部を設ける枠部内で、その先鋭部分を当接させることで円錐形を形成可能としまたこの先鋭部分を分離させるため、枠部自在装置部を構成する左右枠板材の所定位置に当接する上側縁部の中央部分を自在連結して連結装置部を構成し、該枠部材と直角方向に回動自在とし更にてこ作用を可能とする操作ができるようにしたことは、土中に先端部を挿入し直接の掴み掘りや植え付けができる横開きの移植スコップとして機能的に大いに優れている。また、葉もの野菜苗や花苗及び球根などの移植作業等にも利用できることから利便性効果が大きい。
【０００８】
請求項３において、左右対称で先鋭端部を有するスコップそれぞれの上部縁部内側に、植え込み時に同時作用する根部押し下げ用の押し下げ板を設けたことは、移植作業において利便性に優れている。
【発明を実施するための最良の形態】
【０００９】
枠部材のそれぞれ一方側端部を、中心軸とするピンにより自在連結して横方向に水平で展開可能としもう一方の端部側を開閉自在構造とする枠部自在装置部を設ける枠部内で、左右対称のスコップがこの枠部自在装置部を介して縦方向の一方側を閉じもう一方側を横方向に水平で開閉操作自在構造とすることで、枝葉付で茎の長い苗を傷つけることなく移植を可能とする手段を提供するという目的を最少の部材もって実現した。
【実施例１】
【００１０】
横方向に水平で開閉自在構造の枠部自在装置部を設ける四角形の枠部内に、左右対称のスコップ１、１’が装着された本発明装置の一実施例で、図１はその組み合わせ構成と左右対称のスコップ１、１’の横開き動作を示す部分縦断面図、図２は図１の平面図で図３は握柄４からの側面図である。また、もう一つの手段として左右対称のスコップ１，１’の下側それぞれに先鋭端部などを構成した左右対称で先鋭端部を有するスコップ７，７’を採用した本発明装置の一実施例で、図４はその構成と枠部自在装置部を設ける四角形の枠部内における回動動作を説明する部分縦断面図、図５はレバー１１からの側面図である。
以下図面に基づいて詳細に説明する。
【００１１】
図１〜３において、剛性材からなる左右対称のスコップ１、１’は、若干の長さ寸法で両端部の開口口径寸法に若干の寸法差を構成して形成される円筒形状をその口径寸法の大きい一方側の端部を上側とし縦方向に左右対称で二分割することによって形成されている。
枠部自在装置部３’は、この左右対称のスコップ１、１’を合わせることで形成される円筒形の上端外周囲を枠寸法とし剛性を有する枠板材２，２’により構成される四角形の枠部を二分割することで左右対称の]形を形成する枠板材２、２’のそれぞれ一方側端部をピン３を中心軸として自在連結し、もう一方側のそれぞれ端部を横方向に水平で展開可能とする開閉自在構造で構成されている。なお、枠部自在装置部３’部分を構成する左右の枠板材２、２’部分は開閉自在とする機能構成上から他の枠板材２’部分より若干の剛性を有して設けられているものである。
左右対称のスコップ１、１’が枝葉付で茎の長い苗の枝葉を傷めることなく根部分のみを土を落とすことなく掴み、植え付け時には横方向に開いてこの根部分を開放するという動作ができるよう、この左右対称のスコップ１，１’それぞれ縦方向の一方側端部が合わさるようにして閉じもう一方側それぞれの端部を外側に開く開閉動作ができるようにするため、この]形を形成する枠板材２、２’で枠部自在装置部３’と開閉自在端部とを結ぶ線と並行にある枠板材２、２’それぞれに左右対称のスコップ１，１’それぞれの上端部で半円形状の縁部が取り付けられている。
その際、この枠部自在装置部３’における開閉動作に若干の節度感を得るようにするため、枠部自在装置部３’を設ける枠部を構成する枠板材２，２’の開閉端部それぞれに所要の吸着力を構成するマグネット材６，６’が設けられている。
【００１２】
若干長さを有し一方の端部に握り部５，５’を設ける握柄４，４’は、この横開き動作を操作するためもう一方の端部側の若干長さ寸法を左右対称のスコップ１，１’それぞれの中央部の縦方向でそれぞれの枠板材２、２’とともに固定取付け、開閉自在構造の枠部自在装置部３’を介して左右対称のスコップ１、１’の機能を損なうことなく所要とする横開き動作の操作ができるように設けられている。
【００１３】
図４、５において、枠部自在装置部３’を設ける枠部内に装置される左右対称のスコップ１，１’それぞれの下側端部に縦方向の先鋭部分を一体構成することで、左右対称で先鋭端部を有するスコップ７、７’が構成されている。
この左右対称で先鋭端部を有するスコップ７、７’が、苗床より枝葉付で茎の長い苗の枝葉を傷めることなく根部分を土を落とすことなく掴み掘り、植え付けすることもできるようにするため、この左右対称で先鋭端部を有するスコップ７、７’が開閉自在構造の枠部自在装置部３’を設ける枠部内において、それぞれの先端部分を内側方向で合わせることで円錐形状を形成し、また、その先鋭部分を外側方向に離すことでこの円錐形状を解消することができる回動動作ができるように、枠部自在装置部３’を設ける枠部内で枠部自在装置部３’とマグネット材６，６’が設けられる開閉端部とを結ぶ線と並行で構成される左右の枠板材２、２’の長さ方向の中央部分と先鋭部を有する左右対称のスコップ７、７’それぞれの上端部で半円形の縁部の中央部分とが当接する部位をピン９、９’をそれぞれ中心軸として自在連結し、それぞれ枠板材２，２’の直角方向でこの左右対称で先鋭端部を有するスコップ７，７’それぞれを縦方向で回動自在動作ができる連結装置部１０，１０’が構成されている。
【００１４】
若干長さを有し一方の端部に握り部５，５’を設けるレバー１１，１１’は、枠部自在装置部３’を設ける枠部内における左右対称で先鋭端部を有するスコップ７、７’それぞれの所要とする回動動作を操作するため、もう一方の端部側の若干長さ寸法を、左右対称で先鋭端部を有するスコップ７、７’それぞれの中央部の縦方向でピン９、９’を中心軸とする連結装置部１０、１０’位置から下側の先鋭部方向に固定取付し、この  ピン９、９’を中心軸とする連結装置部１０、１０’を支点位置とし、もう一方の握り部５，５’を設ける若干長さ寸法を有するレバー１１，１１’側を力点とするてこ作用により所要とする回動動作が左右対称で先鋭端部を有するスコップ７、７’の機能を損なうことなくできるようになっている。
なお、一方の端部に握り部５，５’を設けるれレバー１１，１１’は、枠板材２，２’などで構成される開閉自在構造の枠部自在装置部３’における所要の横開き操作も可能とされるものである。
【００１５】
押し下げ板８，８’は、左右対称で先鋭端部を有するスコップ７，７’それぞれの上部半円形状の縁部の内側に直角方向で若干長さを有して構成されている。
そして、左右対称で先鋭端部を有するスコップ７，７’の回動動作による先鋭部分の動きと同方向に回動することで、根部分を掴み取る際に茎を傷めることなく上側に開くように回動し、移植時においてはこの根部分の周囲部分を上から押し下げる働きをするものである。
【産業上の利用可能性】
【００１６】
枝葉付で茎の長い苗などの移植作業における期待できる有効な手段の一つとして、農・園芸は勿論、植林など多方面の用途に応用利用が期待できるものである。
【図面の簡単な説明】
【００１７】
【図１】横方向に水平での開閉自在構造を設ける枠部装置内における左右対称のスコップ１，１’などにおける主要部の組み合わせ構成と、横開き動作を説明する部分縦断面図である。（実施例１）
【図２】図１の平面図である。（実施例１）
【図３】握柄４からの側面図である。（実施例１）
【図４】左右対称のスコップ１，１’の下側それぞれに先鋭端部などを構成した左右対称で先鋭端部を有するスコップ７，７’と横方向に水平での開閉自在構造を有する枠部自在装置部３’を構成する枠板材２，２’に装置される連結装置部１０，１０’などにおける主要部の組み合わせ構成と、その連結装置部１０，１０’を介しての回動動作を説明する部分縦断面図である。（実施例２）
【図５】レバー１１からの側面図である。（実施例２）
【符号の説明】
【００１８】
１、１’    左右対称のスコップ
２、２’    枠板材
３，９，９’ピン
３’        枠部自在装置部
４，４’    握柄
５，５’    握り部
６，６’    マグネット材
７，７’    左右対称で先鋭端部を有するスコップ
８，８’    押し下げ板
１０，１０’連結装置部
１１，１１’レバー
【図１】
2012080815.tif 000003
【図２】
2012080815.tif 000004
【図３】
2012080815.tif 000005
【図４】
2012080815.tif 000006
【図５】
2012080815.tif 000007